(57)【特許請求の範囲】
【請求項１】
頂壁、底壁、頂壁を底壁に接続する側壁、前記側壁内に形成された音響出力開口、及び後方容積部を有し、その後方容積部が前記頂壁、底壁及び側壁により画成されるエンクロージャーと、
前記エンクロージャー内に位置されたスピーカドライバであって、音波を放出するための頂面及び底面を有する音声放射面を含むスピーカドライバと、
前記スピーカドライバに取り付けられたフレーム部材であって、ａ）前記音声放射面から前記頂壁へ略垂直に延びる複数のフレーム側壁と、ｂ）前記複数のフレーム側壁のうちの１つにおける開口部から前記音響出力開口へ延びるチャンバー壁とを有し、前記音声放射面の頂面を前記音響出力開口に音響的に結合する前方容積チャンバー、及び前記音声放射面の底面を前記後方容積部に音響的に結合する後方容積チャンバーを形成するフレーム部材と、
を備え、前記後方容積チャンバーの一部分が、前記音響出力開口を向いた前記スピーカドライバの側部に重畳して、前記後方容積チャンバーの容積が、前記前方容積チャンバーの容積より大きくなるようにした、ポータブルオーディオ電子装置。
【請求項２】
前記ドライバの側部に重畳する前記後方容積チャンバーの一部分は、前記ドライバの側部と前記エンクロージャーの前記側壁との間にある、請求項１に記載のポータブルオーディオ電子装置。
【請求項３】
前記前方容積チャンバーは、ホルン形状を含む、請求項１に記載のポータブルオーディオ電子装置。
【請求項４】
前記スピーカドライバの側部に重畳する前記後方容積チャンバーの一部分は、前記前方容積チャンバーと前記エンクロージャーの頂壁との間にある、請求項１に記載のポータブルオーディオ電子装置。
【請求項５】
頂壁と、底壁と、頂壁を底壁に接続する側壁と、音響出力開口と、それらの頂壁、底壁及び少なくとも１つの側壁により画成された後方容積部とを有するエンクロージャーと、  前記エンクロージャー内に位置されたスピーカドライバであって、このスピーカドライバは、音波を放出するための頂面及び底面を有する音声放射面を含むものであり、前記音声放射面の頂面と、前記エンクロージャーの頂壁と、前記エンクロージャーの少なくとも１つの側壁との間のエリアが前記エンクロージャー内に前方容積エリアを画成するようにしたスピーカドライバと、
前記スピーカドライバに取り付けられたフレーム部材であって、このフレーム部材は、前記音声放射面の頂面を前記音響出力開口に音響的に結合する前方容積チャンバー、及び前記音声放射面の底面を前記後方容積部に音響的に結合する後方容積チャンバーを形成するものであるフレーム部材と、
を備えたスピーカアッセンブリであって、
前記前方容積チャンバーは、ａ）前記音響放射面の頂面から前記頂壁へ略垂直に延び、前記スピーカドライバと前記音響出開口との間のフレーム開口を形成する複数のフレーム側壁と、ｂ）前記フレーム開口を前記音響出力開口へ音響的に接続するチャンバー側壁を有し、前記フレーム開口は音響出力開口より小さい、スピーカアッセンブリ。
【請求項６】
前記前方容積チャンバーによって画成されるエリアは、前記後方容積チャンバーにより画成されるエリアより小さい、請求項５に記載のスピーカアッセンブリ。
【請求項７】
前記音響出力開口は、前記エンクロージャーの前記側壁内に形成され、そして前記前方容積チャンバーは、前記スピーカドライバと前記エンクロージャーの前記側壁との間に位置される、請求項５に記載のスピーカアッセンブリ。
【請求項８】
前記前方容積チャンバーは、ホルン形状を含む、請求項５に記載のスピーカアッセンブリ。
【請求項９】
前記後方容積チャンバーの一部分が前記前方容積チャンバーと前記エンクロージャーの頂壁との間に延びる、請求項５に記載のスピーカアッセンブリ。
【請求項１０】
頂壁、底壁、頂壁を底壁に接続する側壁、音響出力開口、及び後方容積部を有し、その後方容積部が前記頂壁、底壁及び側壁により画成されるエンクロージャーであって、前記音響出力開口は当該エンクロージャーの頂壁内に形成されるエンクロージャーと、
前記エンクロージャー内に位置されたスピーカドライバであって、音波を放出するための頂面及び底面を有する音声放射面を含むスピーカドライバと、
前記スピーカドライバに取り付けられたフレーム部材であって、前記音声放射面の頂面を前記音響出力開口に音響的に結合する前方容積チャンバー、及び前記音声放射面の底面を前記後方容積部に音響的に結合する後方容積チャンバーを形成するフレーム部材と、
を備え、前記後方容積チャンバーは、前記側壁から前記音声放射面の頂面上で内向きに延びる重畳セグメントを備え、前記前方容積チャンバーは前記重畳セグメントと前記音響放射面の頂面との間に配置される、ポータブルオーディオ電子装置。
【請求項１１】
前記前方容積チャンバーは、ホルン形状を含む、請求項９に記載のポータブルオーディオ電子装置。
【請求項１２】
頂壁、底壁、頂壁を底壁に接続する側壁、当該側壁内に形成される音響出力開口、及び後方容積部を有し、その後方容積部が前記頂壁、底壁及び側壁により画成されるエンクロージャーと、
前記エンクロージャー内に位置されたスピーカドライバであって、音波を放出するための頂面及び底面を有する音声放射面を含むスピーカドライバと、
前記スピーカドライバに取り付けられたフレーム部材であって、このフレーム部材は、前記音声放射面の頂面を前記音響出力開口に音響的に結合する前方容積チャンバー、及び前記音声放射面の底面を前記後方容積部に音響的に結合する後方容積チャンバーを形成するものであり、前記前方容積チャンバーは前記音声放射面の頂面から前記頂壁へ略垂直に延びるフレーム側壁を備え、前記後方容積チャンバーの一部分が、前記音響出力開口を向いた前記スピーカドライバの側部に重畳して、前記後方容積チャンバーの容積が、前記前方容積チャンバーの容積より大きくなるようにしたフレーム部材と、
オペレーティングシステムプログラムを記憶するためのメモリと、
前記オペレーティングシステムプログラムを実行しそして音声信号をスピーカへ送信するために前記メモリに結合されたプロセッサと、
を備えた電子オーディオシステム。
【発明の詳細な説明】
【技術分野】
【０００１】
本発明の実施形態は、前方容積部を減少したスピーカアッセンブリに関する。他の実施形態も説明し請求する。
【背景技術】
【０００２】
近代的な消費者向け電子装置では、デジタルオーディオ信号処理及びオーディオコンテンツ配信の改良が生じ続けているので、オーディオ能力が益々大きな役割を演じている。ある範囲の消費者向け電子装置は、専用の又は特殊なオーディオ再生装置でないが、改良されたオーディオ性能から利益を得ることができる。例えば、スマートホンは、偏在している。しかしながら、これらの装置は、高忠実度のスピーカを収容するに充分なスペースがない。これは、ラップトップ、ノートブック及びタブレットコンピュータのようなポータブルパーソナルコンピュータについても言えることで、又、多かれ少なかれ、スピーカ内蔵のデスクトップパーソナルコンピュータ及び低背型テレビジョン受像機にも言えることである。このような装置は、著しい前方容積、即ちドライバダイアフラムの前面からの音が装置の音響出力ポートへ進行するダクト又はチャンネルを通るスペースを有するスピーカエンクロージャー又はボックスを要求する。これは、エンクロージャーの出口ポートから更に後方にドライバをセットできるようにする。又、スピーカボックスは、後方容積、即ちダイアフラムの後面へ開いたエンクロージャー内のスペースも画成する。そのような装置の後方容積は、例えば、ハンドヘルドメディアプレーヤのためのスタンドアローン高忠実度スピーカ及び専用デジタル音楽システムに比して比較的小さい。小さな後方容積のスピーカボックスでは、ボックス内の空気が小さなスペースに閉じ込められ、従って、ドライバのコンプライアンスを低下させるので、低周波数性能の改善を得ることは困難である。加えて、大きな前方容積は、装置からの音声出力の音質を低下する傾向がある。
【発明の概要】
【０００３】
本発明の一実施形態は、頂壁、底壁、頂壁を底壁に接続する少なくとも１つの側壁、及び音響出力開口によって形成されたエンクロージャーを有するポータブル電子オーディオ装置に関する。エンクロージャーは、更に、頂壁、底壁及び少なくとも１つの側壁により画成される後方容積部を含む。エンクロージャー内にスピーカドライバが位置され、このスピーカドライバは、音波を放出するための頂面及び底面を有する音声放射面を有する。スピーカドライバにはフレーム部材が取り付けられ、これは、エンクロージャー内に前方容積チャンバー及び後方容積チャンバーを画成する。前方容積チャンバーは、音声放射面の頂面を音響出力開口へ音響結合し、そして装置の音声出力を改善するための減少容積を有する。後方容積チャンバーは、音響出力開口を向いたドライバの側部に重畳し、前方容積チャンバーの容積より大きな容積を有する後方容積チャンバーを形成する。この拡大された後方容積エリアは、スピーカドライバの低周波音質をコントロールする上で助けとなる。
【０００４】
前記概要は、本発明の全ての観点を余すところなく表現していない。本発明は、前記で概要を述べた種々の観点、並びに以下の詳細な説明に開示され且つ特許請求の範囲に特に指摘された観点の全ての適当な組み合わせから実施できる全てのシステム及び方法を包含することが意図される。そのような組み合わせは、前記概要に詳細に述べられていない特定の効果を有する。
【０００５】
本実施形態は、同様の要素が同じ参照番号で示された添付図面に一例として示されているが、それに限定されない。本開示において「一」又は「１つの」実施形態とは、必ずしも同じ実施形態を指しておらず、少なくとも１つを意味することに注意されたい。
【図面の簡単な説明】
【０００６】
【図１】前方容積を有するスピーカアッセンブリ及びエンクロージャーを示す斜視図である。
【図２】図１の実施形態の断面側面図である。
【図３】図１の実施形態の上面図である。
【図４】減少前方容積を有するスピーカアッセンブリの別の実施形態を示す断面側面図である。
【図５】本発明の実施形態が具現化される消費者向け電子装置の２つの例を示す。
【図６】本発明の実施形態が具現化される電子装置の一実施形態の構成コンポーネントの幾つかを示すブロック図である。
【発明を実施するための形態】
【０００７】
この章では、添付図面を参照して本発明の幾つかの好ましい実施形態を説明する。これら実施形態で述べる部分の形状、相対的な位置及び他の観点が明確に定義されないときには、本発明の範囲は、図示された部分のみに限定されず、それらは、単なる例示に過ぎないことを意味する。又、多数の細部について述べるが、本発明の幾つかの実施形態は、それらの細部を伴わずに実施されてもよいことを理解されたい。他の点については、この説明の理解を不明瞭にしないために、良く知られた構造及び技術は、詳細に示さない。
【０００８】
図１は、前方容積を有するスピーカアッセンブリ及びエンクロージャーを示す斜視図である。スピーカアッセンブリ１００は、スピーカエンクロージャーに使用される典型的な材料、例えば、プラスチックのフレーム１０２に組み込まれる。フレーム１０２は、スピーカエンクロージャー又はボックス１０４の一部分である。スピーカエンクロージャー又はボックス１０４は、頂壁１０６、底壁１０８、及びその頂壁１０６を底壁１０８に接続する側壁１１０によって形成される。スピーカアッセンブリ１００は、音響波又は音波を発生する音声放射面（ＳＲＳ）１１４を有するスピーカドライバ１１２を備えている。この音声放射面１１４により発生された音波のある部分は、エンクロージャー１０４の音響出力開口１２４から外に向けられ、一方、他の部分は、エンクロージャー１０４の後方容積部１２２へ向けられる。例えば、ＳＲＳ１１４の頂面１１４ａにより発生された音波１１６は、音響出力開口１２４へ向けられ、一方、ＳＲＳ１１４の底面１１４ｂにより発生された音波は、後方容積エリア１２２へ向けられる。
【０００９】
ＳＲＳ１１４の対向面１１４ａ、１１４ｂによって各々発生される音波１１６、１１８は、互いに位相ずれしており、それ故、音波１１６、１１８が互いに相互作用するのを防止することが重要である。そのような相互作用を防止するため、エンクロージャー１０４内のエリアは、互いに分離された前方容積エリア１２０及び後方容積エリア１２２へ分割される。前方容積エリア１２０は、ＳＲＳ１１４の頂面１１４ａを音響出力開口１２４へ音響的に接続する前方容積チャンバー１２６により画成される。後方容積エリア１２２は、ＳＲＳ１１４の底面１１４ｂをエンクロージャー１０４内の残りのエリアに音響的に接続する後方容積チャンバー１３０により画成される。
【００１０】
図１の例では、音波１１６が進行するＳＲＳ１１４の頂面１１４ａと音響出力開口１２４との間の前方容積エリア１２０は、一般的に、それがＳＲＳ１１４の頂面１１４ａを音響出力開口１２４に音響的に接続し、且つ頂面１１４ａにより発生される音波１１６を、底面１１４ｂにより発生される音波１１８から分離するので、「前方容積」と称される。音波１１８が進行するエンクロージャー１０４の残りのエリア１２２は、一般的に、「後方容積」と称される。前方容積は、頂面１１４ａにより発生された音波１１６が音響出力開口１２４へと進行してエンクロージャー１０４から出、そしてスピーカアッセンブリが一体化されたポータブル装置を取り巻く開放スペースへと進行するための通路として働く。エンクロージャー１０４の後方容積は、装置の低周波音質をコントロールする上で助けとなる。より詳細には、ＳＲＳ１１４は、それが上下に動くときに、周囲の空気を圧縮する。この圧縮された空気は、低い周波数でのＳＲＳ１１４の大きな上下移動を阻止する。後方容積は、ＳＲＳ１１４の周りの空気の体積を増加することによりこの問題をある程度軽減し、ひいては、周囲の空気のコンプライアンスを改善する。それ故、後方容積をできるだけ大きくするのが望ましい。
【００１１】
前方容積は、音響出力開口１２４への直接的な通路を与えるように、後方容積に比して比較的小さくなければならない。しかしながら、スピーカドライバ１１２を音響開口１２４（これは、ほとんどの場合、ポータブル装置ハウジングの出口ポートに隣接して位置される）からある距離だけセットバックすることを要求する製造上の制約のために、前方容積を小さく位置することが困難である。例えば、図１に破線で示された前方容積エリア１２０は、スピーカドライバ１１２に実質的に等価な巾（ｗ）、エンクロージャー１０４の巾に実質的に等しい長さ（ｌ）、及びＳＲＳ１１４の頂面１１４ａとエンクロージャーの頂壁１０６との間の距離に実質的に等価な高さ（ｈ）を有する前方容積チャンバー１２６により画成される。音響出力開口１２４へ音が進行するためのこのように大きなエリアは、最適な音声出力を生じない。又、大きな前方容積エリア１２０は、後方容積エリア１２２のサイズを増加するのに使用できるエリアへ延び込んでいることが明らかである。
【００１２】
音声出力を改善するため、図１は、フレーム１０２及び拡大後方容積チャンバー１３０により形成された減少前方容積チャンバー１２８を示している。この減少前方容積チャンバー１２８は、フレーム１０２によって形成され、そしてスピーカドライバ１１２と音響出力開口１２４との間の前方容積エリアを、破線で画成されたチャンバー１２６のエリア未満に減少するに充分なサイズ及び寸法を有する。例えば、１つの実施形態では、フレーム１０２は、ＳＲＳ１１４の頂面１１４ａから頂壁１０６へ延びて、頂面１１４ａにより発生される音波１１６を底面１１４ｂにより発生される音波１１８から分離するフレーム側壁１５０、１５２を含む。フレーム側壁１５２には開口１５４が形成され、音波１１６が頂面１１４ａから音響出力開口１２４の方向に進行できるようにする。
【００１３】
減少前方容積チャンバー１２８は、開口１５４の対向辺から音響出力開口１２４へと延びるチャンバー側壁１３２、１３４によって形成される。ある実施形態では、開口１５４は、音響出力開口１２４より小さくされ、チャンバー側壁１３２、１３４が開口１５４から音響出力開口１２４へある角度で延びるようにされる。チャンバー頂壁１３６も、開口１５４の頂辺から音響出力開口１２４へある角度で延び、又、チャンバー底壁１３８も、開口１５４の底辺から音響出力開口１２４へ延びる。この点に関して、減少前方容積チャンバー１２８は、実質的にホルン状の輪郭を有し、従って、音響出力ポート１２４を通してエンクロージャー１０４から出るように音波１１６が進行しなければならない通路のサイズを減少する。ここに示す実施形態では、減少前方容積チャンバー１２８は、チャンバー側壁１３２、１３４、チャンバー頂壁１３６、及びチャンバー底壁１３８により形成されるが、前方容積エリアをチャンバー１２６の前方容積エリア（破線で画成されたエリア）未満に減少するに充分な仕方で１つ以上の壁を除去又は構成できることが意図される。
【００１４】
拡大後方容積チャンバー１３０は、チャンバー側壁１３２、１３４の外面と、チャンバー頂壁１３６と、減少前方容積チャンバー１２８のチャンバー底壁１３８と、エンクロージャー１０４を形成する壁との間のエリアを含む。この点に関して、後方容積チャンバー１３０の一部分が、音響出力開口１２４を向いたスピーカドライバ１１２の側部に重畳する。換言すれば、前方容積エリア１２０は、その一部分が、後方容積チャンバー１３０の一部分となるように分割され、その結果、後方容積チャンバー１３０は、減少前方容積チャンバー１２８の容積より大きな容積増加を得ることになる。エンクロージャー１０４の１つの側壁１１０内に音響出力開口１２４が形成される実施形態では、ドライバ１１２の側部に重畳する後方容積チャンバー１３０の一部分が、ドライバの側部と側壁１１０との間にある。加えて、減少前方容積チャンバー１２８が、図１に示すような実質的にホルン状の構成をもつ実施形態では、後方容積チャンバー１３０が減少前方容積チャンバー１２８の周りに形成される。例えば、後方容積チャンバー１３０の一部分が、減少前方容積チャンバー１２８と、エンクロージャー１０４の頂壁１０６及び／又は底壁１０８との間にあってもよい。
【００１５】
図２は、図１に示されたスピーカアッセンブリの側面断面図である。この図から、減少前方容積チャンバー１２８と、エンクロージャー１０４の頂壁１０６及び底壁１０８との間の後方容積チャンバー１３０の部分が明らかであろう。図３は、図１に示されたスピーカアッセンブリの上面図である。この図から、音響開口１２４を向いたドライバ１１２の側部とエンクロージャー１０４の側壁１１０との間の後方容積チャンバー１３０の部分が明らかであろう。加えて、減少前方容積チャンバー１２８のホルン形状が示されている。
【００１６】
図４は、スピーカアッセンブリの別の実施形態の側面断面図である。この実施形態では、音響出力開口４２４は、エンクロージャー４０４の頂壁４０６内に形成され、より詳細には、スピーカドライバ４１２のＳＲＳ４１４の真上に形成される。音響出力開口４２４が頂壁４０６内に形成されるときには、前方容積エリア４２６は、一般的に、スピーカドライバ４１２のＳＲＳ４１４の頂面４１４ａと、エンクロージャー４０４の側壁４１０と、エンクロージャー４０４の頂壁４０６との間のエリアとして画成される。前方容積エリア４２６は、図４に破線で示されている。この前方容積エリア４２６は、ＳＲＳ４１４の底面４１４ｂの下のエリアとして一般的に画成される後方容積エリアから密封される。この点に関して、ＳＲＳ４１４の頂面４１４ａにより発生される音波４１６は、ＳＲＳ４１４の底面４１４ｂにより発生される音波４１８から分離される。或いは又、音響出力開口がエンクロージャー４０４の底壁４０８に形成されて、前方容積エリアがＳＲＳ４１４の底面４１４ｂとエンクロージャー４０４の底壁４０８との間のエリアとして画成され、そしてエンクロージャー４０４内の残りのエリアが後方容積を画成するようにしてもよい。
【００１７】
前方容積エリア４２６より小さい（換言すれば、ＳＲＳ４１４の頂面４１４ａとエンクロージャー４０４の頂壁４０６との間に画成されたエリアより小さい）面積を有する減少前方容積チャンバー４２８を形成するために、フレーム４０２は、重畳セグメント４３２、４３４を含む。この重畳セグメント４３２、４３４は、エンクロージャー４０４の側壁４１０から内方に延び、そしてスピーカドライバ４１２の頂面４１４ａに重畳する。重畳セグメント４３２、４３４は、前方容積エリア４２６の実質液なエリアを占有し、それにより、減少前方容積チャンバー４２８を与える。加えて、重畳セグメント４３２、４３４は、後方容積チャンバー４３０に接続するポケット４３６、４３８を形成する。この点に関して、後方容積チャンバー４３０は、ドライバ４１２とエンクロージャー４０４の頂壁４０６との間のエリアに重畳するセグメント４３２、４３４を含む。加えて、重畳セグメント４３２、４３４の端４４０、４４２は、互いに向かって内方にテーパー付けされて、減少前方容積チャンバー４２８の一部分がホルン状になるようにする。重畳セグメント４３２、４３４は、実質的に長方形の輪郭を有するものとして示されているが、重畳セグメント４３２、４３４は、前方容積エリアを減少し且つ後方容積エリアを増加するのに適したいかなる形状及びサイズを有してもよいことが意図される。
【００１８】
前方容積エリアの一部分を上述したように後方容積に割り当てることにより、後方容積エリアは、実質的に増加され、そして前方容積エリアは、減少される。例えば、低背装置の後方容積エリアは、比較的小さく、例えば、約０．５立方ｃｍないし２立方ｃｍの範囲と考えられる。しかしながら、ここに開示する実施形態によれば、後方容積チャンバーは、後方容積が、例えば、２立方ｃｍより大きくなるように実質的に増加される。
【００１９】
しかしながら、ここに述べる概念は、後方容積がその範囲内にあるスピーカエンクロージャーに限定される必要はない。例えば、図５において明らかなように、減少前方容積をもつスピーカアッセンブリは、ユーザがワイヤレス通信ネットワークを経て通信装置５０４の遠端ユーザとコールを行うところのスマートホンのような消費者向け電子装置５０２内に一体化されたスピーカホンユニットであり、別の例では、スピーカアッセンブリは、タブレットコンピュータのハウジング内に一体化される。これらは、スピーカがどこで使用されるかの２つの例に過ぎないが、スピーカアッセンブリは、減少前方容積エリアが望ましい任意の形式の電子装置、例えば、デスクトップコンピューティング装置又はフラットスクリーンテレビジョンに使用できることが意図される。
【００２０】
図６は、減少前方容積チャンバーを有する上述したスピーカアッセンブリが具現化されるところの電子装置の実施形態の幾つかの構成コンポーネントを示すブロック図である。装置６００は、通常の使用中にユーザの手に容易に保持できる多数の異なる形式の消費者向け電子装置の１つである。特に、装置６００は、スピーカが装備された移動装置、例えば、セルラーホン、スマートホン、メディアプレーヤ、又はタブレット状のポータブルコンピュータであり、それらは、全て、内蔵スピーカシステムを有する。
【００２１】
この点に関して、電子装置６００は、プロセッサ６１２を備え、これは、カメラ回路６０６、モーションセンサ６０４、記憶装置６０８、メモリ６１４、ディスプレイ６２２、及びユーザ入力インターフェイス６２４と相互作用する。又、メインプロセッサ６１２は、通信回路６０２、一次電源６１０、スピーカ６１８、及びマイクロホン６２０とも相互作用する。電子装置６００の種々のコンポーネントは、プロセッサ６１２により実行されるソフトウェアスタックによりデジタルで相互接続されて使用されるか又は管理される。ここに図示され又は説明されるコンポーネントの多くは、１つ以上の専用ハードウェアユニット及び／又はプログラム型プロセッサとして具現化される（例えば、プロセッサ６１２のようなプロセッサにより実行されるソフトウェア）。
【００２２】
プロセッサ６１２は、装置６００で具現化される１つ以上のアプリケーション又はオペレーティングシステムプログラムの動作の幾つか又は全部を遂行することにより、即ち記憶装置６０８に見出されるインストラクション（ソフトウェアコード及びデータ）を実行することにより、装置６００の動作全体をコントロールする。プロセッサは、例えば、ディスプレイ６２２を駆動し、そしてユーザ入力インターフェイス６２４（単一のタッチ感知ディスプレイパネルの一部分としてディスプレイ６２２と一体化されてもよい）を通してユーザ入力を受け取る。加えて、プロセッサ６１２は、スピーカ６１８の動作を促進するためにスピーカ６１８へ音声信号を送信する。
【００２３】
記憶装置６０８は、不揮発性ソリッドステートメモリ（例えば、フラッシュ記憶装置）及び／又は運動型不揮発性記憶装置（例えば、回転型磁気ディスクドライブ）を使用して比較的大量の「永久」データ記憶装置をなす。記憶装置６０８は、ローカル記憶装置と、リモートサーバーの記憶スペースとの両方を含む。記憶装置６０８は、装置６００の異なる機能を高いレベルでコントロールし及び管理するデータ及びソフトウェアコンポーネントを記憶する。
【００２４】
記憶装置６０８に加えて、メインメモリ又はプログラムメモリとも称されるメモリ６１４があり、これは、プロセッサ６１２により実行される記憶されたコード及びデータへの比較的高速なアクセスを与える。メモリ６１４は、ソリッドステートランダムアクセスメモリ（ＲＡＭ）、例えば、スタティックＲＡＭ又はダイナミックＲＡＭを含む。記憶装置６０８に永久的に記憶されている間にメモリ６１４へ実行のために転送されて、上述した種々の機能を遂行するための種々のソフトウェアプログラム、モジュール、又はインストラクションのセット（例えば、アプリケーション）を動作し又は実行する１つ以上のプロセッサ、例えば、プロセッサ６１２があってもよい。
【００２５】
装置６００は、通信回路６０２を備えている。この通信回路６０２は、両方向会話及びデータ転送のようなワイヤード又はワイヤレス通信に使用されるコンポーネントを含む。例えば、通信回路６０２は、アンテナに結合されたＲＦ通信回路を含み、装置６００のユーザがワイヤレス通信ネットワークを経てコールを発信したり受信したりできるようにする。ＲＦ通信回路は、セルラーネットワークを通してコールを行えるように、ＲＦトランシーバ及びセルラー基本帯域プロセッサを含む。例えば、通信回路６０２は、Ｗｉ−Ｆｉ通信回路を含み、装置６００のユーザが、ボイスオーバーインターネットプロトコル（ＶＯＩＰ）接続を使用してコールを発信又は開始し、ワイヤレスローカルエリアネットワークを通してデータを転送できるようにする。
【００２６】
装置６００は、装置６００の動きを検出するのに使用できる慣性センサとも称されるモーションセンサ６０４を備えている。このモーションセンサ６０４は、位置、方向又は動き（ＰＯＭ）センサ、例えば、加速度計、ジャイロスコープ、光センサ、赤外線（ＩＲ）センサ、接近センサ、容量性接近センサ、音響センサ、ソニック又はソナーセンサ、レーダーセンサ、イメージセンサ、ビデオセンサ、グローバルポジショニング（ＧＰＳ）検出器、ＲＰ検出器、ＲＦ又は音響ドップラー検出器、コンパス、磁気メータ、又は他の同様のセンサを含む。例えば、モーションセンサ６００は、周囲光の強度又は周囲光の強度の突然の変化を検出することにより、装置６００の動き又は動きがないことを検出する光センサである。モーションセンサ６００は、装置６００の位置、方向及び動きの少なくとも１つに基づいて信号を発生する。この信号は、動きの特性、例えば、加速度、速度、方向、方向変化、期間、振幅、頻度、又は動きの他の特性を含む。プロセッサ６１２は、センサ信号を受信し、そしてそのセンサ信号に一部分基づいて装置６００の１つ以上の動作をコントロールする。
【００２７】
又、装置６００は、装置６００のデジタルカメラ機能を具現化するカメラ回路６０６も備えている。装置６００には、１つ以上のソリッドステートイメージセンサが内蔵され、その各々は、各レンズを含む光学システムの焦点面に配置される。カメラの視界内のシーンの光学画像がイメージセンサに形成され、そしてセンサは、それに応答して、ピクセルより成るデジタル画像又はピクチャーの形態でシーンを捕獲し、それが、次いで、記憶装置６０８に記憶される。カメラ回路６００は、シーンのビデオ画像を捕獲するのにも使用される。
【００２８】
又、装置６００は、一次電源として、内蔵バッテリのような一次電源６１０も備えている。
【００２９】
更に別の実施形態では、減少前方容積チャンバーを有する上述したスピーカアッセンブリが、内蔵スピーカシステムを有する非移動電子装置、例えば、デスクトップコンピュータ又はテレビジョン内で具現化される。装置６００と同様に、非移動電子装置は、記憶ユニット、メモリユニット、ディスプレイ、ユーザ入力インターフェイス、通信回路、光学的ドライブ、電源、スピーカ、及びマイクロホンと相互作用するプロセッサを備えている。電子装置の種々のコンポーネントは、メインプロセッサにより実行されるソフトウェアスタックによりデジタルで相互接続されて使用されるか又は管理される。ここに図示され又は説明されるコンポーネントの多くは、１つ以上の専用ハードウェアユニット及び／又はプログラム型プロセッサとして具現化される（例えば、メインプロセッサのようなプロセッサにより実行されるソフトウェア）。
【００３０】
幾つかの実施形態を添付図面に示して説明したが、そのような実施形態は、例示に過ぎず、それに限定されるものではなく、且つ当業者であれば、他の種々の変更もなし得るので、本発明は、図示して説明した特定の構造及び構成に限定されないことを理解されたい。従って、以上の説明は、それに限定されるものではなく、例示とみなすべきである。
【符号の説明】
【００３１】
１００：スピーカアッセンブリ
１０２：フレーム
１０４：エンクロージャー
１０６：頂壁
１０８：底壁
１１０：側壁
１１２：スピーカドライバ
１１４：音声放射面（ＳＲＳ）
１１４ａ：頂面
１１４ｂ：底面
１１６、１１８：音波
１２０：前方容積エリア
１２２：後方容積エリア
１２４：音響出力開口
１２６：前方容積チャンバー
１２８：減少前方容積チャンバー
１３０：後方容積チャンバー
１３２、１３４：チャンバー側壁
１３６：チャンバー頂壁
１３８：チャンバー底壁
６００：電子装置
６０２：通信回路
６０４：モーションセンサ
６０６：カメラ回路
６０８：記憶装置
６１０：一次電源
６１２：プロセッサ
６１４：メモリ
６１８：スピーカ
６２０：マイクロホン
６２２：ディスプレイ
６２４：ユーザ入力インターフェイス
【図１】
0005603959.tif 000002
【図２】
0005603959.tif 000003
【図３】
0005603959.tif 000004
【図４】
0005603959.tif 000005
【図５】
0005603959.tif 000006
【図６】
0005603959.tif 000007